(57)【要約】【課題】通信相手の仕様に応じて送信すべきデータに行うパケット処理を柔軟に選択できる無線通信装置、無線通信システム及び無線通信装置方法を提供する。【解決手段】無線通信装置１００は、経路制御部１Ａと複数の処理部とを有する。複数の処理部は、受け取ったデータに対して、それぞれ異なる方式でパケット処理を行う。経路制御部１Ａは、通信相手の仕様に応じて、複数の処理部からパケット処理を行うものを選択し、選択した処理部が行うパケット処理の順序を指定する。【選択図】図４
2019176384.tif 000002
【特許請求の範囲】
【請求項１】
受け取ったデータに対して行うパケット処理を、それぞれ異なる方式で行う複数の処理部と、
通信相手の仕様に応じて、前記複数の処理部から前記パケット処理を行うものを選択し、選択した処理部が行う前記パケット処理の順序を指定する経路制御部と、を備える、
無線通信装置。
【請求項２】
前記経路制御部は、
受け取った入力データに含まれるヘッダ情報から、前記パケット処理を行う処理部を選択し、
前記選択した処理部を指定する情報を前記ヘッダ情報に付加したデータを前記複数の処理部へ出力し、
前記複数の処理部のそれぞれは、前記ヘッダ情報に含まれる前記選択した処理部を指定する情報を参照し、参照した前記情報によって指定されている場合、前記受け取ったデータに所定のパケット処理を行う、
請求項１に記載の無線通信装置。
【請求項３】
前記複数の処理部は、データを暗号化する暗号処理部と、データを圧縮する圧縮処理部と、を含み、
前記複数の処理部に複数の前記暗号処理部が含まれる場合には、前記複数の暗号処理部は互いに異なる方式でデータを暗号化し、
前記複数の処理部に複数の前記圧縮処理部が含まれる場合には、前記複数の圧縮処理部は、互いに、データの圧縮方式及びデータの圧縮率の両方又は一方が異なるようにデータを圧縮する、
請求項２に記載の無線通信装置。
【請求項４】
前記経路制御部は、前記選択した処理部を指定する情報を、前記ヘッダ情報の先頭から前記パケット処理を行う順で、前記ヘッダ情報に付加し、
前記複数の処理部のそれぞれは、前記ヘッダ情報の先頭に配置された情報を参照し、前記前記ヘッダ情報の先頭に配置された情報によって指定されている場合、前記受け取ったデータに前記所定のパケット処理を行う、
請求項３に記載の無線通信装置。
【請求項５】
前記ヘッダ情報の先頭に配置された情報によって指定された処理部は、前記所定のパケット処理を行い、かつ、前記ヘッダ情報の先頭に配置された情報を前記ヘッダ情報から削除した後に、パケット処理後のデータを他の処理部へ出力する、
請求項４に記載の無線通信装置。
【請求項６】
前記経路制御部と前記複数の処理部とを有するパケット処理部と、
前記パケット処理部で処理されたデータを受け取り、所定の非パケット処理を行う非パケット処理部と、を備え、
前記複数の処理部は、前記非パケット処理部へのデータの出力タイミングを制御するタイミング制御処理部を含む、
請求項３乃至５のいずれか一項に記載の無線通信装置。
【請求項７】
前記経路制御部は、前記タイミング制御処理部が、前記暗号処理部で暗号化され、かつ、前記圧縮処理部で圧縮された後のデータの出力タイミングを制御するように、前記選択した処理部が行う前記パケット処理の順序を指定する、
請求項６に記載の無線通信装置。
【請求項８】
前記非パケット処理部は、受け取ったデータに非パケット処理を行う複数の処理経路を有し、
前記経路制御部は、前記複数の経路から非パケット処理を行う経路を選択し、選択した前記経路を指定する情報を前記ヘッダ情報に付加し、
前記非パケット処理部は、前記ヘッダ情報に付加された前記経路を指定する情報を参照し、指定された経路で非パケット処理を行う、
請求項６又は７に記載の無線通信装置。
【請求項９】
前記入力データには、前記選択した処理部によって行われるべき処理を指定する情報が含まれ、
前記経路制御部は、前記選択した処理部によって行われるべき処理を指定する情報を参照して、指定された処理に対応する処理部を前記複数の処理部から選択する、
請求項２乃至８のいずれか一項に記載の無線通信装置。
【請求項１０】
前記入力データには、省略すべきパケット処理を指定する情報が含まれ、
前記経路制御部は、前記省略すべきパケット処理を指定する情報を参照して、省略すべきパケット処理に対応する処理部が含まれないように、前記複数の処理部から前記パケット処理を行うものを選択する、
請求項２乃至９のいずれか一項に記載の無線通信装置。
【請求項１１】
第１の無線通信装置と、
前記第１の無線通信装置から出力される信号を受信する第２の無線通信装置と、を備え、
前記第１の無線通信装置は、
受け取ったデータに対して行うパケット処理を、それぞれ異なる方式で行う複数の処理部と、
前記第２の無線通信装置の仕様に応じて、前記複数の処理部から前記パケット処理を行うものを選択し、選択した処理部が行う前記パケット処理の順序を指定する経路制御部と、を備える、
無線通信システム。
【請求項１２】
受け取ったデータに対して行うパケット処理をそれぞれ異なる方式で行う複数の処理部から、通信相手の仕様に応じて前記パケット処理を行うものを選択し、
選択した処理部が行う前記パケット処理の順序を指定する、
無線通信装置の制御方法。
【発明の詳細な説明】
【技術分野】
【０００１】
本発明は、無線通信装置、無線通信システム及び無線通信装置の制御方法に関する。
【背景技術】
【０００２】
次世代の移動通信システムとして、第５世代移動通信システム（以下、５Ｇと称する）の議論が進んでいる。５Ｇの研究にかかるアライアンスとして、ＭＥＴＩＳ（Mobile and wireless communications Enablers for Twenty-twenty (2020) Information Society）やＮＧＭＮ（Next Generation Mobile Networks）などが知られている。これらのアライアンスによれば、５Ｇネットワークは、用途に応じて、多接続、高速化、大容量伝送、超低遅延などの要件を満たす必要があるとされている。このような要求に応えるため、種々の技術的検討がされている。
【０００３】
多接続に対応する技術として、スライシングという概念がある。スライシングとは、ネットワーク内を流れるサービスごとに要求される要件(接続数、必要帯域、許容遅延など)が異なるため、それぞれの要件を満たすことができる論理的に隔絶された空間をネットワーク上に構築するというものである。
【０００４】
ネットワークのルーティングプロトコルの１つとして、セグメントルーティングという手法が提案されている。通常のルーティング動作は、入力されたパケットの宛先情報(例えば、ＩＰアドレス)と、パケットを転送するネットワーク機器が保持する経路情報(ルーティングテーブル)とに基づいて転送先を決定していた。しかしセグメントルーティングでは、ネットワークに入力された時点で経由したいルートが決定されている。そして、ネットワーク入口のネットワーク機器が、経由すべき通信装置のラベルをパケットに付与する。パケットを受け取った後段のネットワーク機器は、付与されたラベルに応じて転送先を決定する。これにより、パケットの転送経路を柔軟に設定することができる。
【０００５】
また、無線通信装置内において、信号処理部間のデータの転送経路を決定する手法が提案されている（特許文献１）。この無線通信装置では、特定のタスクに最適化した複数の信号処理部が設けられている。各信号処理部は、ルート情報を含むオペレーションヘッダを有するデータを受けとり、所定の手順で信号処理を行い、ルート情報に従って後段の信号処理部へ処理後のフレームを送信する。さらに、信号処理部は、信号処理結果に応じてオペレーションヘッダを変更することができる。これにより、柔軟かつ動的に信号処理を変更可能な無線通信装置を実現している。
【先行技術文献】
【特許文献】
【０００６】
【特許文献１】特開２００７−５３６６３号公報
【発明の概要】
【発明が解決しようとする課題】
【０００７】
しかし、上述の無線通信装置は、上記した５Ｇネットワークに対応することを想定しておらず、５Ｇネットワークにおいて要求される要件を満たし得るかは不明である。また、５Ｇよりも前のネットワークでは、送信時に行う暗号化や圧縮などのパケット単位の処理の内容や、誤り訂正符号化や変調などのパケットを意識しない処理の内容は、一般に無線通信装置ごとに固定されている。そのため、各処理を行う処理部が縦続配置され、縦続配置された複数の処理部でデータを固定的に処理することが一般的であった。
【０００８】
しかし、５Ｇネットワークにおいては、通信相手のパケット処理仕様に応じて、適切な暗号化や圧縮などのパケット処理を選択して柔軟な処理フローを構築する機能が無線通信装置に対して求められている。
【０００９】
本発明は上記の事情に鑑みて成されたものであり、通信相手の仕様に応じて送信すべきデータに行うパケット処理を柔軟に選択できる無線通信装置、無線通信システム及び無線通信装置方法を提供することを目的とする。
【課題を解決するための手段】
【００１０】
本発明の一態様である無線通信装置は、受け取ったデータに対して行うパケット処理を、それぞれ異なる方式で行う複数の処理部と、通信相手の仕様に応じて、前記複数の処理部から前記パケット処理を行うものを選択し、選択した処理部が行う前記パケット処理の順序を指定する経路制御部と、を有するものである。
【００１１】
本発明の一態様である無線通信システムは、第１の無線通信装置と、前記第１の無線通信装置から出力される信号を受信する第２の無線通信装置と、を備え、前記第１の無線通信装置は、受け取ったデータに対して行うパケット処理を、それぞれ異なる方式で行う複数の処理部と、前記第２の無線通信装置の仕様に応じて、前記複数の処理部から前記パケット処理を行うものを選択し、選択した処理部が行う前記パケット処理の順序を指定する経路制御部と、を有するものである。
【００１２】
本発明の一態様である無線通信装置の制御方法は、受け取ったデータに対して行うパケット処理をそれぞれ異なる方式で行う複数の処理部から、通信相手の仕様に応じて前記パケット処理を行うものを選択し、選択した処理部が行う前記パケット処理の順序を指定する、ものである。
【発明の効果】
【００１３】
本発明によれば、通信相手の仕様に応じて送信すべきデータに行うパケット処理を柔軟に選択できる無線通信装置、無線通信システム及び無線通信装置の制御方法を提供することができる。
【図面の簡単な説明】
【００１４】
【図１】実施の形態１にかかる無線通信装置の構成を模式的に示す図である。
【図２】実施の形態１にかかる非パケット処理部の構成を模式的に示す図である。
【図３】実施の形態１にかかるヘッダ情報を模式的に示す図である。
【図４】実施の形態１にかかるパケット処理部でのデータの処理経路を示す図である。
【図５】実施の形態１にかかる無線通信システムの構成を模式的に示す。
【図６】実施の形態２にかかるパケット処理部の構成を模式的に示す図である。
【図７】実施の形態２にかかるヘッダ情報を模式的に示す図である。
【図８】実施の形態２にかかるパケット処理部でのデータの処理経路を示す図である。
【図９】実施の形態３にかかるヘッダ情報を模式的に示す図である。
【図１０】実施の形態４にかかるベースバンド部の構成を模式的に示す図である。
【図１１】実施の形態４にかかるヘッダ情報を模式的に示す図である。
【図１２】実施の形態４にかかるベースバンド部でのデータの処理経路を示す図である。
【発明を実施するための形態】
【００１５】
以下、図面を参照して本発明の実施の形態について説明する。各図面においては、同一要素には同一の符号が付されており、必要に応じて重複説明は省略される。
【００１６】
実施の形態１
実施の形態１にかかる無線通信装置１００について説明する。図１に、実施の形態１にかかる無線通信装置１００の構成を模式的に示す。無線通信装置１００は、ベースバンド部１１、ＲＦ部１２及びアンテナ１３を有する。
【００１７】
ベースバンド部１１は、パケット処理部１及び非パケット処理部２を有する。パケット処理部１には、入力データＩＮがパケット単位で入力される。パケット処理部１は、入力データＩＮに対して所定のパケット処理を行い、データＤ１０を非パケット処理部２へ出力する。非パケット処理部２は、デジタル信号であるデータＤ１０をアナログ信号であるベースバンド信号ＢＳ１に変換して、ＲＦ部１２へ出力する。
【００１８】
ＲＦ部１２は、ベースバンド周波数のベースバンド信号ＢＳ１を、より高周波数の送信信号ＳＩＧに変換する。送信信号ＳＩＧは、アンテナ１３を介して空中に送信される。その後、送信信号ＳＩＧは、通信相手である無線通信装置２００によって受信される。
【００１９】
パケット処理部１は、経路制御部１Ａ、バス１Ｂ及び複数の処理部を有する。経路制御部１Ａ及び複数の処理部は、バス１Ｂを介してデータのやり取りが可能に構成される。複数の処理部は、受け取ったデータをそれぞれ異なる方法で処理する。
【００２０】
以下、具体的に説明する。本実施の形態では、複数の処理部として、暗号処理部Ｅ１及びＥ２と圧縮処理部Ｃ１及びＣ２とが設けられている。したがって、経路制御部１Ａ、圧縮処理部Ｃ１及びＣ２、暗号処理部Ｅ１及びＥ２は、バス１Ｂを介してデータのやり取りが可能である。
【００２１】
圧縮処理部Ｃ１及びＣ２は、無線帯域を有効に活用するために、受け取ったデータを所定の圧縮方式及び所定の圧縮比にてパケット単位で圧縮する。本実施の形態では、圧縮処理部Ｃ１は、圧縮処理部Ｃ２とは異なる方法でデータを圧縮する。換言すれば、圧縮処理部Ｃ１と圧縮処理部Ｃ２との間では、圧縮方式及び圧縮率の一方又は両方が異なっている。これにより、通信の遅延が許容される場合には高い圧縮率の圧縮処理部を用いるなどの使い分けに対応することができる。
【００２２】
暗号処理部Ｅ１及びＥ２は、受け取ったデータを所定の暗号方式で暗号化する。ここでは、暗号処理部Ｅ１は、暗号処理部Ｅ２とは異なる暗号方式でデータを暗号化する。
【００２３】
次いで、非パケット処理部２について説明する。図２に、実施の形態１にかかる非パケット処理部２の構成を模式的に示す。非パケット処理部２は、符号化部ＥＣ１、変調部Ｍ１及びデジタル／アナログ変換器ＤＡ１を有する。
【００２４】
符号化部ＥＣ１は、誤り訂正に必要な冗長性をデータＤ１０のビット列に与える誤り訂正符号化処理を行う。
【００２５】
変調部Ｍ１は、符号化部ＥＣ１で処理されたデータを所定の変調方式で変調する。デジタル／アナログ変換器ＤＡ１は、変調部Ｍ１で変調された信号をデジタル信号からアナログ信号に変換し、変換した信号をベースバンド信号ＢＳ１として出力する。
【００２６】
次いで、無線通信装置１００の動作について説明する。図３に、実施の形態１にかかるヘッダ情報を模式的に示す。経路制御部１Ａが受け取る入力データＩＮには、通信相手の無線通信装置を指定する情報などが含まれるヘッダ情報Ｈが先頭に配置されている。ヘッダ情報の後には、通信相手へ送信するデータを示すメインデータＤＡＴが配置されている。
【００２７】
経路制御部１Ａは、ヘッダ情報Ｈに含まれる通信相手の通信装置を指定するアドレス情報ＡＤＤを参照し、ルックアップテーブルＬＵＴと照合する。ルックアップテーブルには、通信相手に応じて行うべきパケット処理及び非パケット処理の内容を示す情報が格納されている。
【００２８】
具体的には、経路制御部１Ａは、ルックアップテーブルＬＵＴの照合結果から、入力データＩＮに適用する暗号方式、データ圧縮方式及び圧縮率を決定する。そして、パケット処理部１は、パケット処理に使用する処理部を指定する処理部指定情報Ｓ１をヘッダ情報Ｈの先頭に付加し、付加後のデータをデータＤ１として出力する。
【００２９】
すなわち、パケット処理部１は、決定した暗号方式に対応する暗号処理部を指定する情報と、決定したデータ圧縮方式及び圧縮率に対応する圧縮処理部を指定する情報と、からなる処理部指定情報Ｓ１をヘッダ情報Ｈに付加する。ここでは、例として、圧縮処理部Ｃ２が圧縮処理を行い、暗号処理部Ｅ１が暗号処理を行うものとする。また、本実施の形態では、データの圧縮後に暗号化を行うものとする。よって、この場合、ヘッダ情報Ｈの先頭に圧縮処理部Ｃ２を指定する情報が配置され、その次に暗号処理部Ｅ１を指定する情報が配置される。
【００３０】
図４に、実施の形態１にかかるパケット処理部でのデータの処理経路を示す。パケット処理部１の処理部のそれぞれは、バス１Ｂに出力されたデータＤ１のヘッダ情報Ｈの処理部指定情報Ｓ１の先頭に配置された情報を参照する。
【００３１】
本実施の形態では、処理部指定情報Ｓ１の先頭には圧縮処理部Ｃ２を指定する情報が配置されている。よって、圧縮処理部Ｃ２は、データＤ１を受け取って、所定の圧縮方式及び圧縮率でデータＤ１を圧縮する。この際、圧縮処理部Ｃ２は、処理部指定情報Ｓ１の先頭に配置された圧縮処理部Ｃ２を指定する情報を削除する。圧縮処理部Ｃ２は、圧縮されたデータＤ２を出力する。
【００３２】
次いで、パケット処理部１の処理部のそれぞれは、圧縮処理部Ｃ２から出力されたデータＤ２のヘッダ情報Ｈの処理部指定情報Ｓ１の先頭に配置された情報を参照する。このとき、処理部指定情報Ｓ１からは圧縮処理部Ｃ２を指定する情報が削除されているので、先頭には暗号処理部Ｅ１を指定する情報が配置されている。よって、暗号処理部Ｅ１は、データＤ２を受け取り、暗号化する。この際、暗号処理部Ｅ１は、処理部指定情報Ｓ１の先頭に配置された暗号処理部Ｅ１を指定する情報を削除する。つまり、パケット処理の経路を指定する処理部指定情報Ｓ１がヘッダ情報Ｈから削除されることとなる。暗号処理部Ｅ１は、暗号化したデータＤ１０を出力する。
【００３３】
その後、非パケット処理部２は、データＤ１０に対して所定の非パケット処理を行う。符号化部ＥＣ１は、データＤ１０を受け取り、符号化処理を行う。符号化部ＥＣ１は、符号化処理後のデータＤＦを変調部Ｍ１へ出力する。変調部Ｍ１は、所定の変調方式でデータＤＦを変調して、変調信号ＭＯＤを出力する。変調信号ＭＯＤは、デジタル／アナログ（Ａ／Ｄ）変換器ＤＡ１によってデジタル信号からアナログ信号であるベースバンド信号ＢＳ１に変換される。ベースバンド信号ＢＳ１は、ＲＦ部１２へ出力される。
【００３４】
次いで、無線通信装置１００が送信した信号を受信する無線通信装置２００について説明する。図５に、無線通信装置１００及び２００を有する無線通信システム１０００の構成を模式的に示す。以下では、無線通信装置１００を第１の無線通信装置とも称し、無線通信装置２００を第２の無線通信装置とも称する。ここでは、説明の簡略化のために、無線通信装置２００の受信機能に着目して説明する。無線通信装置２００は、ベースバンド部２１、ＲＦ部２２及びアンテナ２３を有する。
【００３５】
ＲＦ部２２は、アンテナ２３が受信した信号ＳＩＧをベースバンド信号ＢＳ２に変換し、ベースバンド部２１へ出力する。
【００３６】
ベースバンド部２１は、パケット処理部３及び非パケット処理部４を有する。
【００３７】
非パケット処理部４について説明する。非パケット処理部４は、復号部ＥＣ、復調部ＤＭ及びアナログ／デジタル変換器ＡＤを有する。
【００３８】
アナログ／デジタル変換器ＡＤは、受け取ったベースバンド信号ＢＳ２をアナログ信号からデジタル信号に変換し、変換した信号を復調部ＤＭへ出力する。
【００３９】
復調部ＤＭは、アナログ／デジタル変換器ＡＤから出力された信号を所定の復調方式で復調し、復調した信号を復号部ＥＣへ出力する。無線通信装置１００では、変調部Ｍ１が、復調部ＤＭで復調可能な変調方式で変調を行っているため、復調部ＤＭは、受け取った信号を正しく復調することができる。
【００４０】
復号部ＥＣは、所定の誤り訂正符号化方式に対応して、復調部ＤＭで復調された信号を復号し、データＤ２０としてパケット処理部３に出力する。無線通信装置１００では、符号化部ＥＣ１が、復号部ＥＣで復号可能な方式で符号化を行っているため、復号部ＥＣは、受け取った信号を正しく復号することができる。
【００４１】
次いで、パケット処理部３について説明する。パケット処理部３は、バス３Ｂ、展開処理部Ｃ及び暗号処理部Ｅを有する。展開処理部Ｃ及び暗号処理部Ｅは、バス３Ｂを介してデータのやり取りが可能に構成される。
【００４２】
暗号処理部Ｅは、暗号化されたデータを復号可能に構成される。無線通信装置１００では、暗号処理部Ｅが正しくデータを復号できるように、暗号処理部Ｅの復号方式に対応した暗号方式の暗号処理部Ｅ１を用いてデータを暗号化している。よって、暗号処理部Ｅは、受け取ったデータを正しく復号することができる。
【００４３】
暗号処理部Ｅは、暗号処理部Ｅ１の暗号方式に対応する復号方式で、非パケット処理部４から出力されたデータＤ２０を復号し、復号したデータを出力する。
【００４４】
展開処理部Ｃは、圧縮されたデータを展開可能に構成される。無線通信装置１００では、展開処理部Ｃが正しくデータを展開できるように、展開処理部Ｃの展開方式に対応した圧縮方式の圧縮処理部Ｃ２を用いてデータを圧縮している。よって、展開処理部Ｃは、受け取ったデータを正しく展開することができる。
【００４５】
展開処理部Ｃは、圧縮処理部Ｃ２の圧縮方式に対応する展開方式で、暗号処理部で復号されたデータを展開する。展開されたデータは受信信号ＯＵＴとしてベースバンド部２１から出力される。
【００４６】
以上、本構成によれば、通信相手のパケット処理の仕様に応じて、送信するデータに適用するパケット処理を適切に選択することができる。以下、具体的に説明する。
【００４７】
本実施の形態では、無線通信装置２００の暗号処理部Ｅが無線通信装置１００の暗号処理部Ｅ２の暗号方式に対応しているが、暗号処理部Ｅ１の暗号方式に対応可能な暗号処理部は存在しない。
【００４８】
そのため、無線通信装置１００は、無線通信装置２００で復号可能な暗号処理を行うため暗号処理部Ｅ２で暗号処理を行なわなければならない。本実施の形態では、経路制御部１ＡがルックアップテーブルＬＵＴを参照することで、暗号処理を行う暗号処理部を選択し、ヘッダ情報Ｈにデータに付加する。これにより、暗号処理部Ｅ１が選択的にデータの暗号処理を行うことができる。
【００４９】
こうした処理部の選択については、圧縮処理部についても同様である。すなわち、経路制御部１ＡがルックアップテーブルＬＵＴを参照することで、圧縮処理を行う圧縮処理部を選択し、ヘッダ情報Ｈにデータに付加する。これにより、所望の圧縮処理部が選択的にデータの圧縮処理を行う。その結果、無線通信装置２００の展開処理部が対応可能な展開方式に合わせて、データを圧縮することができる。
【００５０】
上述の通り、５Ｇネットワークにおいては、多数の通信装置、通信端末がネットワークを介して接続される。よって、５Ｇネットワークでは、製造日が大きく異なる無線通信装置が混在する状態があり得る。この場合、古い通信装置は最新の通信規格に対応していないことが想定され、比較的新しい暗号方式や圧縮方式に対応できない場合がある。よって、無線通信装置から信号を送信する場合、受信側の無線通信装置がデータの復号及び展開が行えるように、パケット処理の段階で行う暗号処理の方式と圧縮処理の方式とを選択する必要がある。
【００５１】
これに対し、本構成によれば、通信相手のパケット処理の仕様を示すデータがルックアップテーブルに格納されている。経路制御部１Ａは、ルックアップテーブルを参照することで、通信相手に適合する処理を行う処理部を選択する。これにより、本構成によれば、様々な仕様の無線通信装置が混在するネットワークに適用可能な無線通信装置を提供することができる。
【００５２】
一般的に、２つの無線通信装置間で通信を行うには、両方の無線通信装置に対応する設定を行うことが求められる。送信側の無線通信装置と受信側の無線通信装置とで設定が異なると、通信が途絶することもある。これに対し、本実施の形態にかかる無線通信装置によれば、予め取得した受信側の仕様や設定に応じて、送信側の無線通信装置の機能を選択することで、正しく通信を行うことができる。
【００５３】
ルックアップテーブルは、無線通信装置をネットワークへ導入するときの通信経路を定義するために初期設定として、予め与えられてもよい。また、無線通信装置のネットワークへの導入後に通信経路を変更する場合や、新たな無線通信装置を通信相手として追加する場合、変更後の通信相手となる無線通信装置の仕様を定義するため、ユーザによって更新されてもよい。
【００５４】
実施の形態２
実施の形態２にかかる無線通信装置について説明する。本実施の形態では、パケット処理部の複数の処理部として、タイミング制御処理部が追加された構成を有する。図６に、実施の形態２にかかるパケット処理部５の構成を模式的に示す。パケット処理部５は、実施の形態１にかかるパケット処理部１にタイミング制御処理部Ｔを追加した構成を有する。
【００５５】
タイミング制御処理部Ｔは、圧縮及び暗号化されたデータを非パケット処理部２へ出力するタイミングを制御可能に構成される。通信相手の無線通信装置や非パケット処理部の仕様によっては、パケット出力の間隔を一定にすることが求められる。そこで、本実施の形態では、必要に応じて、タイミング制御処理部Ｔによってパケット出力のタイミングを制御する。
【００５６】
無線通信装置２００の動作について説明する。図７に、実施の形態２にかかるヘッダ情報を模式的に示す。経路制御部１Ａは、ヘッダ情報Ｈに含まれる通信相手の通信装置を指定するアドレス情報ＡＤＤを参照し、ルックアップテーブルＬＵＴと照合する。経路制御部１Ａは、ルックアップテーブルＬＵＴの照合結果から、実施の形態１と同様に、入力データＩＮに適用する暗号方式、データ圧縮方式及び圧縮率を決定する。
【００５７】
更に、経路制御部１Ａは、照合結果に応じて、タイミング制御処理部Ｔによって、データを非パケット処理部２へ出力するデータのタイミング制御が必要か否かを判断する。ここでは、タイミング制御処理部Ｔがデータ出力のタイミングを制御する処理を行うものとして説明する。この場合、経路制御部１Ａは、処理部指定情報Ｓ１において、暗号処理部Ｅ１を指定する情報の次に、更にタイミング制御処理部Ｔを指定する情報を付加する。
【００５８】
図８に、実施の形態２にかかるパケット処理部でのデータの処理経路を示す。パケット処理部１の処理部のそれぞれは、バス１Ｂに出力されたデータＤ１のヘッダ情報Ｈの処理部指定情報Ｓ１の先頭に配置された情報を参照する。
【００５９】
圧縮処理部Ｃ２は、実施の形態１と同様に、データＤ１を圧縮し、圧縮したデータＤ２を出力する。また、暗号処理部Ｅ１は、実施の形態１と同様に、データＤ２を暗号化する。暗号処理部Ｅ１は、暗号化されたデータＤ３を出力する。
【００６０】
次いで、パケット処理部１の処理部のそれぞれは、データＤ３のヘッダ情報Ｈの処理部指定情報Ｓ１の先頭に配置された情報を参照する。このとき、処理部指定情報Ｓ１からは圧縮処理部Ｃ２及び暗号処理部Ｅ１を指定する情報が削除されているので、先頭にはタイミング制御処理部Ｔを指定する情報が配置されている。よって、タイミング制御処理部Ｔは、データＤ３を受け取る。この際、タイミング制御処理部Ｔは、処理部指定情報Ｓ１の先頭に配置されたタイミング制御処理部Ｔを指定する情報を削除する。つまり、パケット処理の経路を指定する処理部指定情報Ｓ１がヘッダ情報Ｈから削除されることとなる。タイミング制御処理部Ｔは、所定のタイミングでデータＤ１０を出力する。
【００６１】
以上、本構成によれば、通信相手の無線通信装置や非パケット処理部の仕様に応じて、パケット処理部１からのデータ（パケット）の出力タイミングを制御することができる。
【００６２】
実施の形態３
実施の形態３にかかる無線通信装置について説明する。上述の実施の形態では、経路制御部１Ａが入力データＩＮのアドレス情報ＡＤＤを参照し、通信相手を特定して必要な情報をヘッダ情報Ｈに付加した。これに対し、本実施の形態では、入力データＩＮのヘッダ情報に予めパケット処理部が行うべき圧縮処理及び暗号処理を指定する情報が配置されている。
【００６３】
図９に、実施の形態３にかかるヘッダ情報を模式的に示す。入力データＩＮのヘッダ情報Ｈの先頭には、パケット処理部１が行うべきパケット処理を指定する処理指定情報Ｓ２が配置されている。
【００６４】
経路制御部１Ａは、ヘッダ情報Ｈの処理指定情報Ｓ２を参照し、ルックアップテーブルＬＵＴと照合する。経路制御部１Ａは、ルックアップテーブルＬＵＴの照合結果から、処理指定情報Ｓ２が指定する圧縮方式ＣＯＭに対応する圧縮処理部と、暗号方式ＥＮに対応する暗号処理部とを選択する。ここでは、実施の形態１と同様に、圧縮処理部Ｃ２が圧縮処理を行い、暗号処理部Ｅ１が暗号処理を行うものとする。
【００６５】
経路制御部１Ａは、実施の形態１と同様に、ヘッダ情報Ｈの先頭に圧縮処理部Ｃ２を指定する情報が配置し、その次に暗号処理部Ｅ１を指定する情報が配置する。
【００６６】
以上、本構成によれば、無線通信装置が通信相手の仕様示す情報を有しない場合でも、入力データＩＮに含まれる通信相手の仕様示す情報を参照して、通信相手のパケット処理の仕様に応じたパケット処理を適切に選択することができる。
【００６７】
用途によっては、既に入力データＩＮが圧縮されている場合があり得る。この場合、処理指定情報Ｓ２に圧縮処理を省略する指示を含めることで、パケット処理部１での圧縮処理を省略してもよい。また、処理指定情報Ｓ２に圧縮方式を指定する情報を配置しないことで、パケット処理部１での圧縮処理を省略してもよい。
【００６８】
用途によっては、既に入力データＩＮが暗号化されている場合があり得る。この場合、処理指定情報Ｓ２に暗号処理を省略する指示を含めることで、パケット処理部１での暗号処理を省略してもよい。また、処理指定情報Ｓ２に暗号方式を指定する情報を配置しないことで、パケット処理部１での暗号処理を省略してもよい。
【００６９】
実施の形態４
実施の形態４にかかる無線通信装置について説明する。図１０に、実施の形態４にかかるベースバンド部１４の構成を模式的に示す。ベースバンド部１４は、ベースバンド部１１の非パケット処理部２を非パケット処理部６に置換した構成を有する。
【００７０】
非パケット処理部６は、符号化部、変調部、デジタル／アナログ変換器をそれぞれ複数個有する。ここでは、非パケット処理部６は、符号化部ＥＣ１〜ＥＣ３、変調部Ｍ１〜Ｍ３及びデジタル／アナログ変換器ＤＡ１〜ＤＡ３を有する。
【００７１】
符号化部ＥＣ１、変調部Ｍ１及びデジタル／アナログ変換器ＤＡ１は非パケット処理部２と同様であるので、説明を省略する。
【００７２】
符号化部ＥＣ２及びＥＣ３は、誤り訂正に必要な冗長性をデータＤ１０のビット列に与える誤り訂正符号化処理を行う。
【００７３】
変調部Ｍ２は、符号化部ＥＣ２で処理されたデータを所定の変調方式で変調する。デジタル／アナログ変換器ＤＡ２は、変調部Ｍ２で変調された信号をデジタル信号からアナログ信号に変換し、変換した信号をベースバンド信号ＢＳ１として出力する。
【００７４】
変調部Ｍ３は、符号化部ＥＣ３で処理されたデータを所定の変調方式で変調する。デジタル／アナログ変換器ＤＡ３は、変調部Ｍ３で変調された信号をデジタル信号からアナログ信号に変換し、変換した信号をベースバンド信号ＢＳ１として出力する。
【００７５】
すなわち、非パケット処理部６には、符号化部、変調部及びデジタル／アナログ変換器が縦続接続された処理経路が、３本並列して設けられている。
【００７６】
次いで、実施の形態にかかる無線通信装置の動作について説明する。図１１に、実施の形態４にかかるヘッダ情報を模式的に示す。本実施の形態では、経路制御部１Ａは、処理部指定情報Ｓ１だけでなく、非パケット処理部６でのデータの処理経路を示す経路情報Ｓ３を、ヘッダ情報Ｈに付加する。
【００７７】
ルックアップテーブルＬＵＴには、通信相手である無線通信装置２００の符号化方式、変調方式に対応した経路情報が格納されている。経路制御部１Ａは、ルックアップテーブルＬＵＴの照合結果から、非パケット処理部６での処理経路を決定し、非パケット処理部６で最初に処理を行う符号化部を指定する経路情報Ｓ３を、処理部指定情報Ｓ１の次に配置する。ここでは、非パケット処理部６では、符号化部ＥＣ２、変調部Ｍ２及びデジタル／アナログ変換器ＤＡ２を用いて非パケット処理を行うものとする。
【００７８】
図１２に、実施の形態４にかかるベースバンド部でのデータの処理経路を示す。パケット処理部１での処理は、実施の形態１と同様であるので、説明を省略する。
【００７９】
非パケット処理部６では、符号化部ＥＣ１〜ＥＣ３のそれぞれが、ヘッダ情報Ｈの先頭に配置された符号化部を指定する指定する参照する。経路情報Ｓ３には、符号化部ＥＣ２を指定する情報が配置されているので、符号化部ＥＣ２はデータＤ１０を受け取り、符号化処理を行う。この際、符号化部ＥＣ２は、経路情報Ｓ３に配置された符号化部ＥＣ２を指定する情報を削除してもよい。その後、符号化部ＥＣ２は、符号化処理後のデータＤＦを変調部Ｍ２へ出力する。変調部Ｍ２は、所定の変調方式でデータＤ２を変調して、変調信号ＭＯＤを出力する。
【００８０】
変調信号ＭＯＤは、デジタル／アナログ変換器ＤＡ２によってデジタル信号からアナログ信号であるベースバンド信号ＢＳ１に変換される。その後のＲＦ部１２及びアンテナ１３の動作は、実施の形態１と同様であるので、説明を省略する。
【００８１】
以上、本構成によれば、非パケット処理部に複数の処理経路がある場合でも、経路制御部によって所望の処理経路を選択することができる。例えば、高信頼性の通信が求められる場合誤り訂正強度の高い符号化部を用いることが可能である。これにより、受信側の無線通信装置の誤り訂正符号化の方式や変調方式に柔軟に対応することができる。
【００８２】
その他の実施の形態
なお、本発明は上記実施の形態に限られたものではなく、趣旨を逸脱しない範囲で適宜変更することが可能である。例えば、実施の形態２及び４にかかる無線通信装置においても、実施の形態３と同様に、入力データの処理指定情報Ｓ２に基づいて、処理部指定情報Ｓ１をヘッダ情報Ｈに付加してもよい。
【００８３】
実施の形態２にかかる無線通信装置においても、実施の形態４にかかる無線通信装置と同様に、非パケット処理部の処理経路選択可能な構成としてもよい。
【００８４】
上述の実施の形態では、パケット処理部に２つの暗号処理部が設けられるものとして説明したが、３つ以上の暗号処理部が設けられてもよい。
【００８５】
上述の実施の形態では、パケット処理部に２つの圧縮処理部が設けられるものとして説明したが、３つ以上の圧縮処理部が設けられてもよい。
【００８６】
実施の形態２では、パケット処理部に１つのタイミング制御処理部が設けられるものとして説明したが、２つ以上のタイミング制御処理部が設けられてもよい。
【００８７】
上述の実施の形態では、パケット処理部の複数の処理部として、暗号処理部、圧縮処理部及びタイミング制御処理部について説明したが、これは例示に過ぎない。すなわち、複数の処理部として、暗号処理部、圧縮処理部及びタイミング制御処理部以外の処理部を設けてもよいことは、言うまでもない。
【００８８】
実施の形態４では、非パケット処理部が３つの処理経路を有するものとして説明したが、２つ又は４つ以上の処理経路を有してもよい。
【００８９】
上記では、処理部指定情報Ｓ１、処理指定情報Ｓ２及び経路情報Ｓ３がヘッダ情報に含まれるものとして説明したが、これは例示に過ぎない。処理部指定情報Ｓ１、処理指定情報Ｓ２及び経路情報Ｓ３の一部又は全部は、ヘッダ情報以外の情報に含まれてもよい。
【符号の説明】
【００９０】
１、３、５  パケット処理部
１Ａ  経路制御部
１Ｂ、３Ｂ  バス
２、４、６  非パケット処理部
４  非パケット処理部
１１、１４、２１  ベースバンド部
１２、２２  ＲＦ部
１３、２３  アンテナ
１００、２００  無線通信装置
１０００  無線通信システム
ＡＤＤ  アドレス情報
ＢＳ１、ＢＳ２  ベースバンド信号
Ｃ  展開処理部
Ｃ１、Ｃ２  圧縮処理部
Ｄ１〜Ｄ３、Ｄ１０、Ｄ２０、ＤＦ  データ
ＤＡＴ  メインデータ
ＤＡ１〜ＤＡ３  デジタル／アナログ変換器
ＤＭ  復調部
Ｅ、Ｅ１、Ｅ２  暗号処理部
ＥＣ  復号部
ＥＣ１〜ＥＣ３  符号化部
Ｈ  ヘッダ情報
ＩＮ  入力データ
ＬＵＴ  ルックアップテーブル
Ｍ１〜Ｍ３  変調部
ＭＯＤ  変調信号
Ｓ１  処理部指定情報
Ｓ２  処理指定情報
Ｓ３  経路情報
ＳＩＧ            送信信号
Ｔ  タイミング制御処理部
【図１】
2019176384.tif 000003
【図２】
2019176384.tif 000004
【図３】
2019176384.tif 000005
【図４】
2019176384.tif 000006
【図５】
2019176384.tif 000007
【図６】
2019176384.tif 000008
【図７】
2019176384.tif 000009
【図８】
2019176384.tif 000010
【図９】
2019176384.tif 000011
【図１０】
2019176384.tif 000012
【図１１】
2019176384.tif 000013
【図１２】
2019176384.tif 000014